(57)【要約】  【課題】  書き換え可能な光ディスクにおいて、上書きを繰り返しても特定回数で特に記録特性（記録品質）が悪くなるようなことを回避できる機能を有する光ディスク記録再生装置を提供する。  【解決手段】  書き換え可能な光ディスクに情報を４倍速以上で記録する処理を行う際に、光ディスクは未記録であると言うことが判定された場合に（ステップＳ３）、光ディスクに第１のランダムな情報は１回目の試し書きとして書き込まれる（ステップＳ７）。次に、前記１回目の試し書きされた光ディスクに、２回目の試し書きとして、第２のランダムな情報がイレースレベルで上書きされる（ステップＳ８）。この後、光ディスクに対して通常記録が行われる（ステップＳ６）。このように、２回目の記録処理により、光ディスクのトラック面は略均一になり、３回目以降の記録処理による記録特性（記録品質）は良くなる。【選択図】      図２
2006134444.tif 000002
【特許請求の範囲】
【請求項１】
光ディスクに対して情報を光学的に書き込んだり、光ディスクに記録された情報を光学
的に読み取る光ピックアップを備え、光ディスクに対して情報を記録／再生する光ディス
ク記録再生装置において、書き換え可能な光ディスクに情報を４倍速以上で記録する処理
を行う際に、前記光ピックアップからのＲＦ信号のレベルに基づいて前記書き換え可能な
光ディスクは記録済みであるか未記録であるかを判定するディスク記録状態判定手段と、
前記書き換え可能な光ディスクは未記録であると言うことが前記ディスク記録状態判定手
段により判定された場合に、前記光ディスクに第１のランダムな情報を１回目の試し書き
として書き込むように制御する書込み制御手段と、前記１回目の試し書きされた光ディス
クに２回目の試し書きとして第２のランダムな情報をイレースレベルで上書きするように
制御する上書き制御手段と、前記上書きした後、前記光ディスクに対して通常記録を行う
ように制御する通常記録制御手段とを有するシステムコントローラを備えたことを特徴と
する光ディスク記録再生装置。
【請求項２】
光ディスクに対して情報を光学的に書き込んだり、光ディスクに記録された情報を光学
的に読み取る光ピックアップを備え、光ディスクに対して情報を記録／再生する光ディス
ク記録再生装置において、書き換え可能な光ディスクに情報を４倍速以上で記録する処理
を行う際に、前記光ディスクに対して２回の試し書きをしてから通常記録を行うように制
御するシステムコントローラを備えたことを特徴とする光ディスク記録再生装置。
【請求項３】
前記システムコントローラは、書き換え可能な光ディスクに情報を４倍速以上で記録す
る処理を行う際に、光ピックアップからのＲＦ信号のレベルに基づいて前記書き換え可能
な光ディスクは記録済みであるか未記録であるかを判定するディスク記録状態判定手段と
、前記書き換え可能な光ディスクは未記録であると言うことが前記ディスク記録状態判定
手段により判定された場合に、前記光ディスクに第１のランダムな情報を１回目の試し書
きとして書き込むように制御する書込み制御手段と、前記１回目の試し書きされた光ディ
スクに２回目の試し書きとして第２のランダムな情報を上書きするように制御する上書き
制御手段と、前記上書きした後、前記光ディスクに対して通常記録を行うように制御する
通常記録制御手段とを有することを特徴とする請求項２に記載の光ディスク記録再生装置
。
【請求項４】
前記上書き制御手段は、前記第２のランダムな情報をイレースレベルで上書きするよう
に制御することを特徴とする請求項３に記載の光ディスク記録再生装置。
【発明の詳細な説明】
【技術分野】
【０００１】
本発明は、光ディスクに対して情報を光学的に書き込んだり、光ディスクに記録された
情報を光学的に読み取る光ピックアップを備え、光ディスクに対して情報を記録／再生す
る光ディスク記録再生装置に関し、特に、書き換え可能な光ディスクであるＤＶＤ−ＲＷ
（デジタル・バーサタイル・ディスク−リライタブル）に対する記録の処理に関する。
【背景技術】
【０００２】
近年、書き換え可能な光ディスクであるＤＶＤ−ＲＷが普及してきている。このような
光ディスクの上書き記録には、レーザパワーが記録用レーザパワーと消去用レーザパワー
との２値で変化するレーザ光が使用されている。この場合、記録用レーザパワーによって
光ディスクの記録膜の状態が結晶状態からアモルファス状態に変化してビットが形成され
、また、消去用レーザパワーによってアモルファス状態から結晶状態に変化して既記録ビ
ットが消去される。このようにして光ディスクにはビットによる情報が記録される。
【特許文献１】特開２００１−３５１２４９号公報
【特許文献２】特開２００３−１６６５６号公報
【特許文献３】特開２００３−２７２１７２号公報
【発明の開示】
【発明が解決しようとする課題】
【０００３】
このようにして、光ディスクに情報を記録する場合、レーザパワーは低目の方が光ディ
スクの寿命を長くするが、このような書き換え可能な光ディスクで書き込み品質を上げる
ためには、適度なレーザパワーが必要となる。しかし、書き換えを何回も繰り返すうちに
、光ディスクは記録が不可能になり、寿命が来ることになる。
【０００４】
ところで、例えば、このような書き換え可能な光ディスクに初めて映像音声情報を記録
し（１回目の記録処理）、その後、その映像音声情報が不要になって新たな映像音声情報
を、同じ光ディスクに上書きによって記録し（２回目の記録処理）、そして、その後、そ
の映像音声情報が不要になって新たな映像音声情報を同じ光ディスクに上書きによって記
録し（３回目の記録処理）、更に（Ｎ−１）回の記録処理により記録した映像音声情報が
不要になって新たな映像音声情報を同じ光ディスクに上書きによって記録（Ｎ回目の記録
処理）するような場合、２回目の記録処理による記録特性（記録品質）が特に悪くなる。
【０００５】
２回目の記録処理による記録特性（記録品質）が特に悪くなる原因は、１回目の記録処
理により光ディスクのトラック面は均一ではなくなり、このように均一でないトラック状
態で２回目の記録処理により新たな映像音声情報を上書きするためである。しかし、３回
目以降の記録処理においては、前回の上書きによってトラック面は略均一に近付き、３回
目以降の記録処理により記録された映像音声情報は２回目の記録処理により記録された映
像音声情報よりも記録特性（記録品質）が良くなる。
【０００６】
このように従来の光ディスク記録再生装置では、１回目の記録処理により光ディスクの
トラック面は均一ではなくなり、このように均一でないトラック状態で２回目の記録処理
により新たな映像音声情報を上書きすると、２回目の記録処理による記録特性（記録品質
）が特に悪くなるという課題が生じる。
【０００７】
なお、特許文献１の従来技術は、目標変調度が既記録部変調度以上であるとき上書き記
録パワーに既記録パワーを設定し、また、目標変調度が既記録部変調度未満であるとき上
書き記録パワーに既記録パワーに低下させた値を設定するため、記録特性（記録品質）を
良好に保つということが開示されているが、書き換え可能な光ディスクにおいて２回目の
記録処理により新たな映像音声情報を上書きすると、２回目の記録処理による記録特性（
記録品質）が特に悪くなるを改善する対策は施されていない。
【０００８】
特許文献２の従来技術は、上書き可能型の光ディスクにおける記録開始位置をビットク
ロックレベルで変更することによって、オーバーライト時の繰り返し記録特性（記録品質
）を改善できるということが開示されているが、この従来技術も、書き換え可能な光ディ
スクにおいて２回目の記録処理により新たな映像音声情報を上書きすると、２回目の記録
処理による記録特性（記録品質）が特に悪くなるを改善する対策は施されていない。
【０００９】
特許文献３の従来技術は、相変化型の光ディスクにおいて、初期化を均一に行い、反射
率ムラを低減させ、記録特性（記録品質）の向上を図り、ダイレクトオーバーライトによ
る信号品質の劣化を低減できるということが開示されているが、この従来技術も、書き換
え可能な光ディスクにおいて、２回目の記録処理により新たな映像音声情報を上書きする
と、２回目の記録処理による記録特性（記録品質）が特に悪くなるを改善する対策は施さ
れていない。
【００１０】
本発明は、上記のような課題を解決するためになされたもので、書き換え可能な光ディ
スクにおいて、上書きを繰り返しても特定回数で特に記録特性（記録品質）が悪くなるよ
うなことを回避できる機能を有する光ディスク記録再生装置を提供することを目的とする
。
【課題を解決するための手段】
【００１１】
上記目的を達成するために、請求項１の発明は、書き換え可能な光ディスクに情報を４
倍速以上で記録する処理を行う際に、光ピックアップからのＲＦ信号のレベルに基づいて
前記書き換え可能な光ディスクは記録済みであるか未記録であるかを判定するディスク記
録状態判定手段と、前記書き換え可能な光ディスクは未記録であると言うことが前記ディ
スク記録状態判定手段により判定された場合に、前記光ディスクに第１のランダムな情報
を１回目の試し書きとして書き込むように制御する書込み制御手段と、前記１回目の試し
書きされた光ディスクに２回目の試し書きとして第２のランダムな情報をイレースレベル
で上書きするように制御する上書き制御手段と、前記上書きした後、前記光ディスクに対
して通常記録を行うように制御する通常記録制御手段とを有するシステムコントローラを
備えたことを特徴とする光ディスク記録再生装置を提供する。
【００１２】
この構成において、書き換え可能な光ディスクに情報を４倍速以上で記録する処理を行
う際に、光ピックアップからのＲＦ信号のレベルを検出してＲＦ信号のレベルが所定レベ
ル未満であれば前記書き換え可能な光ディスクは未記録であると言うことがディスク記録
状態判定手段により判定された場合に、光ディスクには第１のランダムな情報が、書込み
制御手段の制御により１回目の試し書きとして書き込まれる。次に、前記１回目の試し書
きされた光ディスクに、２回目の試し書きとして第２のランダムな情報が上書き制御手段
の制御によりイレースレベルで上書きされる。この後、前記上書きした後、前記光ディス
クに対して通常記録が通常記録制御手段の制御により行われる。
【００１３】
この構成によれば、２回目の記録処理により、光ディスクのトラック面は略均一になり
、３回目以降の記録処理による記録特性（記録品質）は良くなる。即ち、２回目の記録処
理によって本来の情報は記録せず、３回目以降の記録処理によって本来の情報を記録する
ようにしているので、従来において問題となっていた２回目の記録処理による記録特性（
記録品質）が特に悪かったのを回避することができ、したがって、記録回数に係わらず一
定の良好な記録特性（記録品質）を得ることができる。
【００１４】
請求項２の発明は、書き換え可能な光ディスクに情報を４倍速以上で記録する処理を行
う際に、前記光ディスクに対して２回の試し書きをしてから通常記録を行うように制御す
るシステムコントローラを備えたことを特徴とする光ディスク記録再生装置を提供する。
【００１５】
この構成においては、書き換え可能な光ディスクに情報を４倍速以上で記録する処理を
行う際に、前記光ディスクに対して２回の試し書きをしてから通常記録が行われる。
【００１６】
この構成によれば、２回目の記録処理により、光ディスクのトラック面は略均一になり
、３回目以降の記録処理による記録特性（記録品質）は良くなる。即ち、２回目の記録処
理によって本来の情報は記録せず、３回目以降の記録処理によって本来の情報を記録する
ようにしているので、従来において問題となっていた２回目の記録処理による記録特性（
記録品質）が特に悪かったのを回避することができ、したがって、記録回数に係わらず一
定の良好な記録特性（記録品質）を得ることができる。
【００１７】
請求項３の発明では、請求項２の発明において、前記システムコントローラは、書き換
え可能な光ディスクに情報を４倍速以上で記録する処理を行う際に、光ピックアップから
のＲＦ信号のレベルに基づいて前記書き換え可能な光ディスクは記録済みであるか未記録
であるかを判定するディスク記録状態判定手段と、前記書き換え可能な光ディスクは未記
録であると言うことが前記ディスク記録状態判定手段により判定された場合に、前記光デ
ィスクに第１のランダムな情報を１回目の試し書きとして書き込むように制御する書込み
制御手段と、前記１回目の試し書きされた光ディスクに２回目の試し書きとして第２のラ
ンダムな情報を上書きするように制御する上書き制御手段と、前記上書きした後、前記光
ディスクに対して通常記録を行うように制御する通常記録制御手段とを有するので、２回
目の記録処理によって本来の情報は記録せず、３回目以降の記録処理によって本来の情報
を記録することが可能になる。
【００１８】
請求項４の発明では、請求項３の発明において、前記上書き制御手段は、前記第２のラ
ンダムな情報をイレースレベルで上書きするように制御するので、２回目の記録処理によ
って光ディスクのトラック面はかなり均一にすることができる。
【発明の効果】
【００１９】
以上のように本発明によれば、書き換え可能な光ディスクに情報を４倍速以上で記録す
る処理を行う際に、前記光ピックアップからのＲＦ信号のレベルに基づいて前記書き換え
可能な光ディスクは記録済みであるか未記録であるかを判定するディスク記録状態判定手
段と、前記書き換え可能な光ディスクは未記録であると言うことが前記ディスク記録状態
判定手段により判定された場合に、前記光ディスクに第１のランダムな情報を１回目の試
し書きとして書き込むように制御する書込み制御手段と、前記１回目の試し書きされた光
ディスクに２回目の試し書きとして第２のランダムな情報をイレースレベルで上書きする
ように制御する上書き制御手段と、前記上書きした後、前記光ディスクに対して通常記録
を行うように制御する通常記録制御手段とを有するシステムコントローラを備えたので、
２回目の記録処理により、光ディスクのトラック面は略均一になり、３回目以降の記録処
理による記録特性（記録品質）は良くなる。即ち、２回目の記録処理によって本来の情報
は記録せず、３回目以降の記録処理によって本来の情報を記録するようにしているので、
従来において問題となっていた２回目の記録処理による記録特性（記録品質）が特に悪か
ったのを回避することができ、したがって、記録回数に係わらず一定の良好な記録特性（
記録品質）を得ることができる。
【００２０】
また、本発明によれば、書き換え可能な光ディスクに情報を４倍速以上で記録する処理
を行う際に、前記光ディスクに対して２回の試し書きをしてから通常記録を行うように制
御するシステムコントローラを備えたので、２回目の記録処理により、光ディスクのトラ
ック面は略均一になり、３回目以降の記録処理による記録特性（記録品質）は良くなる。
即ち、２回目の記録処理によって本来の情報は記録せず、３回目以降の記録処理によって
本来の情報を記録するようにしているので、従来において問題となっていた２回目の記録
処理による記録特性（記録品質）が特に悪かったのを回避することができ、したがって、
記録回数に係わらず一定の良好な記録特性（記録品質）を得ることができる。
【発明を実施するための最良の形態】
【００２１】
以下、添付図面を参照しつつ、本発明の実施の形態について説明する。図１は本発明の
一実施形態に係る光ディスク記録再生装置の構成を示すブロック図である。
【００２２】
この光ディスク記録再生装置は、光ディスク１を回転させるスピンドルモータ５と、光
ディスク１に対して情報を記録／再生するためのレーザ光を出射すると共に光ディスク１
からの反射光を受光する光ピックアップ２と、この光ピックアップ２を光ディスク１の半
径方向に移動させるためのスレッド３と、システムコントローラ２２の指示に応じてスピ
ンドルモータ５およびスレッド３を駆動すると共に光ピックアップ２に内蔵された対物レ
ンズ（図示せず）を動かすことによりレーザ光の焦点位置を光ディスク１の記録面に対し
て垂直方向および水平方向に移動させる制御を行うサーボ制御部４とを備えている。
【００２３】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理と誤り訂正処理を行って生成したデータをＲＡＭ７に格納するデジタル信号処
理部８と、システムコントローラ２２の指示に応じてデジタル信号処理部８から出力され
たデータストリームの中からオーディオデータとサブピクチャデータとビデオデータとを
分離するストリーム分離部９とを備えている。
【００２４】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２５】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２６】
また、この光ディスク記録再生装置は、システムコントローラ２２に対して、記録指示
を与えるための記録キー、再生指示を与えるための再生キー、記録や再生の停止指示を与
えるための停止キーなど、各種操作キーを有する操作部２１と、装置全体を制御する前記
システムコントローラ２２とを備えている。なお、操作部２１は、リモートコントローラ
であっても良いし、装置本体の操作パネルに設けられた操作部であっても良い。
【００２７】
また、この光ディスク記録再生装置は、装置の各構成要素を制御したり、装置全体を制
御したりするためのプログラムやデータが記憶されたフラッシュＲＯＭ２３と、このフラ
ッシュＲＯＭ２３のプログラムやデータに従って演算処理を行いシステムコントローラ２
２を制御するＣＰＵ２４とを備えている。
【００２８】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号を光ピックアップ２に出力するレーザ変調回路２６とを備えている。
【００２９】
システムコントローラ２２には、本実施形態の特徴とする構成要素として、書き換え可
能な光ディスク１に情報を４倍速以上で記録する処理を行う際に、光ピックアップ２から
のＲＦ信号のレベルに基づいて前記書き換え可能な光ディスク１は記録済みであるか未記
録であるかを判定するディスク記録状態判定手段２２１と、前記書き換え可能な光ディス
ク１は未記録であると言うことがディスク記録状態判定手段２２１により判定された場合
に、光ディスク１に第１のランダムな情報を１回目の試し書きとして書き込むように制御
する書込み制御手段２２２と、前記１回目の試し書きされた光ディスク１に２回目の試し
書きとして第２のランダムな情報をイレースレベルで上書きするように制御する上書き制
御手段２２３と、前記上書きした後、光ディスク１に対して通常記録を行うように制御す
る通常記録制御手段２２４とを有する。
【００３０】
図２は本実施形態において通常記録に入るまでの処理を説明するためのフローチャート
である。このフローチャートを参照して通常記録に入るまでの処理について説明する。
【００３１】
ここでは、本実施形態の光ディスク記録再生装置によって光ディスク１にテレビジョン
放送番組を記録する場合を想定する。この光ディスク記録再生装置の操作部２１の電源キ
ーが押下されることにより、装置の電源がオンされ（ステップＳ１）、次に、光ディスク
（ＤＶＤ−ＲＷ）１が装填された後、操作部２１の記録キーが押下されると（ステップＳ
２）、システムコントローラ２２のディスク記録状態判定手段２２１により、光ディスク
１は記録済みであるか否かが判定される（ステップＳ３）。
【００３２】
即ち、ディスク記録状態判定手段２２１は、書き換え可能な光ディスク１に情報を４倍
速以上で記録する処理を行う際に、光ピックアップ２からのＲＦ信号をＲＦアンプ６を介
して入力してＲＦ信号のレベルを検出して、ＲＦ信号のレベルが所定レベル未満であれば
光ディスク１は未記録であると判定し、ＲＦ信号のレベルが所定レベル以上であれば光デ
ィスク１は記録済みであると判定する。
【００３３】
光ディスク１は未記録であると判定されると、システムコントローラ２２の書込み制御
手段２２２は、試し書きで光ディスク１に第１のランダム情報を書き込む制御を行う（ス
テップＳ７）。この第１のランダム情報としては、例えば、テレビ信号が用いられ、この
テレビ信号としては、図示しないテレビジョン受信機（あるいは装置内のチューナ）から
のテレビ信号が用いられ、このテレビ信号は図示しない信号処理回路に入力されてデジタ
ル処理され、映像音声データとして記録データ変調回路２５に与えられ、その映像音声デ
ータは変調がかけられ、レーザ変調回路２６によりレーザ変調信号として光ピックアップ
２に与えられる。これにより、光ピックアップ２は光ディスク１に映像音声データ（第１
のランダム情報）を光学的に書き込む。なお、第１のランダム情報としての映像音声デー
タは光ディスク１の指定トラックに書き込まれる前に図示しないバッファメモリにバファ
リングされ、書込み時にバッファメモリから読み出され、指定トラックに書き込まれる。
【００３４】
次に、システムコントローラ２２の上書き制御手段２２３は、試し書きで光ディスク１
に第２のランダム情報をイレースレベルで上書きする（ステップＳ８）。この第２のラン
ダム情報としては、前記第１のランダム情報と同様、テレビ信号が用いられ、同様に処理
にされて得た映像音声データは、レーザ変調信号として光ピックアップ２に与えられる。
これにより、光ピックアップ２は、イレースレベルで光ディスク１に映像音声データ（第
２のランダム情報）を光学的に上書きする。なお、第２のランダム情報としての映像音声
データは光ディスク１の指定トラックに書き込まれる前に図示しないバッファメモリにバ
ファリングされ、書込み時にバッファメモリから読み出され、指定トラックに書き込まれ
る。第１のランダム情報と第２のランダム情報とは、それぞれの時点のテレビ信号の内容
は異なるので、異なる情報となる。第１，第２のランダム情報として用いられる信号はテ
レビ信号に限らず、他の再生装置からの再生信号などを用いても良い。
【００３５】
このステップＳ８の上書き処理は２回目の記録処理に相当するが、この２回目の記録処
理により、光ディスク１のトラック面は略均一になり、３回目以降の記録処理による記録
特性（記録品質）は良くなる。即ち、この実施形態の光ディスク記録再生装置では、２回
目の記録処理によって本来の情報は記録せず、３回目以降の記録処理によって本来の情報
を記録するようにしているので、従来において問題となっていた２回目の記録処理による
記録特性（記録品質）が特に悪かったのを回避することができ、したがって、記録回数に
係わらず一定の良好な記録特性（記録品質）を得ることができる。
【００３６】
ステップＳ８の処理の後、システムコントローラ２２の通常記録制御手段２２４は通常
記録を実行する（ステップＳ５）。即ち、通常記録制御手段２２４は、記録したい映像音
声データを図示しないバッファメモリにバファリングしており、ステップＳ８からステッ
プＳ５の処理に移った時に、そのバッファメモリから映像音声データを読み出して、ステ
ップＳ８で上書きされたトラックに更に上書きして、その映像音声データ（本来記録した
い映像音声データ）を記録する。
【００３７】
そして、この記録処理が最後まで終了していない場合は（ステップＳ６）、ステップＳ
３の処理に戻り、システムコントローラ２２のディスク記録状態判定手段２２１により、
光ディスク１の次のトラックは記録済みであるか否かが判定され、光ディスク１は未記録
であると判定されると、前回と同様、システムコントローラ２２の書込み制御手段２２２
は、試し書きで光ディスク１に第１のランダム情報を書き込む制御を行う（ステップＳ７
）。
【００３８】
次に、システムコントローラ２２の上書き制御手段２２３は、試し書きで光ディスク１
に第２のランダム情報をイレースレベルで上書きする（ステップＳ８）。これにより、光
ピックアップ２は、イレースレベルで光ディスク１に映像音声データ（第２のランダム情
報）を光学的に上書きする。ステップＳ８の処理の後、システムコントローラ２２の通常
記録制御手段２２４は、通常記録を実行する（ステップＳ５）。
【００３９】
この実施形態における４倍速記録方式を図３を用いて説明すると、ステップＳ３のディ
スク記録状態判定処理である第１の処理ステップと、ステップＳ７の書き込み処理である
第２の処理ステップと、ステップＳ８の上書き処理である第３の処理ステップと、ステッ
プＳ５の通常記録処理である第４の処理ステップとの４個の処理ステップをリアルタイム
で繰り返し、それら４個の処理ステップで光ディスク上のトラックＴ１に対して４倍速で
記録処理が行われ、次の４個の処理ステップでトラックＴ２に対して４倍速で記録処理が
行われる。即ち、トラックＴ１，Ｔ２，・・・に対する各記録処理が１倍速の４倍の処理
速度でそれぞれ実行されることになり、本来記録したい映像音声データが各第４の処理ス
テップでトラックＴ１，Ｔ２，・・・に記録されるようになっている。
【００４０】
図２のフローチャートの説明に戻って、ステップＳ３において、光ディスク１は記録済
みであると判定されるのは、ステップＳ７の書き込み処理、ステップＳ８の上書き処理、
およびステップＳ５の通常記録処理を繰り返し、全トラックの記録が完了した光ディスク
１である場合、あるいは今まで使用して２回以上記録処理された他の光ディスクである場
合で、この場合はステップＳ７の書き込み処理とステップＳ８の上書き処理とは行う必要
がない。したがって、この場合はステップＳ３からステップＳ４に移り、光ピックアップ
２はリードの状態でサーボがかけられて待機していて、いつでもステップＳ５の通常記録
処理に移れるようにしている。
【００４１】
ステップＳ８の上書き処理の後の通常記録処理（ステップＳ５）、あるいはステップＳ
４の待機処理の後の通常記録処理（ステップＳ５）が全部終了したときは（ステップＳ６
）、このフローチャートで示す処理は終了する。
【００４２】
以上説明したように本実施形態によれば、書き換え可能な光ディスクに情報を４倍速以
上で記録する処理を行う際に、前記光ディスクに対して２回の試し書きをしてから通常記
録を行うように制御するシステムコントローラを備えたので、２回目の記録処理により、
光ディスクのトラック面は略均一になり、３回目以降の記録処理による記録特性（記録品
質）は良くなる。即ち、２回目の記録処理によって本来の情報は記録せず、３回目以降の
記録処理によって本来の情報を記録するようにしているので、従来において問題となって
いた２回目の記録処理による記録特性（記録品質）が特に悪かったのを回避することがで
き、記録回数に係わらず一定の良好な記録特性（記録品質）を得ることができる。
【００４３】
なお、上記実施形態では、２回目の記録処理（試し書きで光ディスクに第２のランダム
情報を上書きする処理）において、第２のランダム情報をイレースレベルで上書きしたが
、これに限らず、普通の記録レベルで上書きをしても良いが、イレースレベルで上書きす
る方が、普通の記録レベルで上書きするよりも、光ディスクのトラック面がより均一にな
るので、より好ましい。また、上記実施形態では、４倍速記録方式により記録処理を実行
させたが、これに限らず、１６倍速記録方式により記録処理を実行させても、同様な効果
が得られる。
【図面の簡単な説明】
【００４４】
【図１】本発明の一実施形態に係る光ディスク記録再生の構成を示すブロック図である。
【図２】前記実施形態において通常記録に入るまでの処理を説明するためのフローチャートである。
【図３】前記実施形態において４倍速記録方式を説明するための図である。
【符号の説明】
【００４５】
１    光ディスク
２    光ピックアップ
２２    システムコントローラ
２２１    ディスク記録状態判定手段
２２２    書込み制御手段
２２３    上書き制御手段
２２４    通常記録制御手段
【図１】
2006134444.tif 000003
【図２】
2006134444.tif 000004
【図３】
2006134444.tif 000005